(57)【要約】【課題】  ガイド板の合理的な改造をもって衝撃音や打撃音を効果的に減少する。【解決手段】  左右の側板間に、複数の商品を上下方向に積み重ね収納可能な蛇腹状の商品収納通路を形成する多数のガイド板８，１０が上下方向に配設されているとともに、ガイド板８，１０が、縦桟８Ａ，１０Ａと横桟８Ｂ，１０Ｂを組み合わせた格子形状に合成樹脂で一体成形されている。【選択図】  図１２
2005085137.tif 000002
【特許請求の範囲】
【請求項１】
左右の側板間に、複数の商品を上下方向に積み重ね収納可能な蛇腹状の商品収納通路を形成する多数のガイド板を上下方向に配設してある自動販売機の商品収納装置であって、
前記ガイド板が、縦桟と横桟を組み合わせた格子形状に合成樹脂で一体成形されている自動販売機の商品収納装置。
【請求項２】
左右の側板間に、複数の商品を上下方向に積み重ね収納可能な蛇腹状の商品収納通路を形成する多数のガイド板を上下方向に配設してある自動販売機の商品収納装置であって、
前記ガイド板の少なくとも一部が、左右の側板間に架設される固定ガイド板と、この固定ガイド板の上端部に横軸芯周りで揺動自在に枢支され、かつ、商品収納通路内に突出付勢された可動ガイド板との組み合わせから構成されているとともに、固定ガイド板及び可動ガイド板の各々が、縦桟と横桟を組み合わせた格子形状に合成樹脂で一体成形されている自動販売機の商品収納装置。
【請求項３】
左右の側板間に、複数の商品を上下方向に積み重ね収納可能な蛇腹状の商品収納通路を形成する多数のガイド板を上下方向に配設してある自動販売機の商品収納装置であって、
前記ガイド板が、通路幅の広い商品収納通路に対応した長尺の固定ガイド板と、通路幅の狭い商品収納通路に対応した短尺の固定ガイド板と、短尺固定ガイド板の前面及び長尺固定ガイド板の前面右側又は前面左側に対して選択的に装着自在で、かつ、商品収納通路内に突出付勢された可動ガイド板とから構成されていて、それらの組み合わせから通路幅の異なる二種類の商品収納通路を選択的に構成するとともに、各固定ガイド板及び可動ガイド板の各々が、縦桟と横桟を組み合わせた格子形状に合成樹脂で一体成形されている自動販売機の商品収納装置。
【請求項４】
前記可動ガイド板の少なくとも縦桟の一部が、固定ガイド板の縦桟の隣接間に対して揺動方向から入り込み自在に構成されているとともに、この可動ガイド板の入り込み移動に連れて、固定ガイド板の少なくとも縦桟の一部の端面が商品受止め位置に臨むように構成されている請求項２又は３記載の自動販売機の商品収納装置。
【請求項５】
前記固定ガイド板の上部に、可動ガイド板の揺動支軸を脱着自在に支承する軸受け凹部と、左右の側板間に架設される取付け部材を脱着自在に係合保持する係合保持手段とが設けられ、固定ガイド板に係合保持された取付け部材の一部が、軸受け凹部に装着された揺動支軸の抜け出しを阻止する抜け落ち防止部に構成されている請求項２〜４のいずれか１項に記載の自動販売機の商品収納装置。
【請求項６】
前記取付け部材には、左右の側板に設けられた取付け孔に対して差し込み自在で、かつ、所定位置に差し込まれたとき取付け孔の周縁に係合して左右方向での相対移動を阻止する差込み連結手段が設けられている請求項５記載の自動販売機の商品収納装置。
【請求項７】
前記可動ガイド板には揺動支軸が一体成形され、それの一端部には、可動ガイド板を商品収納通路内に突出付勢するネジリバネのコイル部が脱着自在に外装される装着用軸部が一体形成されている請求項２〜６のいずれか１項に記載の自動販売機の商品収納装置。
【請求項８】
前記固定ガイド板の軸受け凹部には、可動ガイド板を商品収納通路内に突出付勢する状態で可動ガイド板の揺動支軸に外装されたネジリバネのコイル部を下方側から支える支持片が形成されている請求項５又は６記載の自動販売機の商品収納装置。
【請求項９】
前記固定ガイド板の上部側には、入り込み移動する可動ガイド板の下端部が固定ガイド板の下端部に当接する前に、可動ガイド板の上部側との当接によって最大入り込み位置を規制する弾性変形可能な回転規制片が形成されている請求項４記載の自動販売機の商品収納装置。
【発明の詳細な説明】
【技術分野】
【０００１】
本発明は、左右の側板間に、複数の商品を上下方向に積み重ね収納可能な蛇腹状の商品収納通路を形成する多数のガイド板を上下方向に配設してある自動販売機の商品収納装置に関する。
【背景技術】
【０００２】
従来の自動販売機の商品収納装置では、各ガイド板を、側面視において円弧状に湾曲形成された板金から製作し、この板金製ガイド板の上端部を筒状にカール加工して、このカール部に挿通された吊下げ軸を介して左右の板金製の側板間に揺動自在に吊下げ支持するとともに、各板金製ガイド板をそれの下端側が商品収納通路内に突出する姿勢に揺動付勢するネジリバネ等の付勢手段を設けていた。
更に、板金製ガイド板の商品受け面には、少なくとも孔、スリットの一種類を全域に多数分散形成するとともに、商品収納通路内を落下してくる商品が板金製ガイド板に衝突して、ガイド板が付勢手段の付勢力に抗して退避揺動したとき、それの下端部を下方に隣接する板金製ガイド板のカール部に当接させる、又は、左右の側板間に架設された金属製の規制軸に当接させることにより、商品接当に伴う板金製ガイド板の最大後退揺動位置を規制するように構成していた（特許文献１、２、３参照）。
【０００３】
【特許文献１】特開平１０−９１８６１号公報
【特許文献２】特開平９−１５３１８３号公報
【特許文献３】実用新案登録第２５４９６８７号公報
【発明の開示】
【発明が解決しようとする課題】
【０００４】
投入された商品は、商品収納通路を構成する状態で上下方向に沿って配設された円弧状の板金製ガイド板と当接しながら落下供給されるが、このとき、従来では、ガイド板にスリット又は孔を形成することによって質量の軽減化を図り、衝突音の発生源自体を小さくするとともに、衝撃音の共鳴を抑制するように構成しているものの、それでも商品通路内を落下する商品が板金製ガイド板に当接したときの衝撃音がまだ大きく、特に、人の聴覚に耳障りな高周波音成分が多く発生していた。
【０００５】
また、商品収納通路内を落下してくる商品がガイド板と衝突すると、ガイド板がネジリバネ等の付勢手段の突出付勢力に抗して退避揺動することにより、落下商品を減速すると同時に落下姿勢を設定収納姿勢（水平姿勢）に矯正することができるものの、商品が当接したときの衝撃でガイド板には大きな回転スピードが付与されるため、板金製のガイド板の下端部が、それの下方に隣接する板金製ガイド板のカール部、又は、側板間に架設された金属製の規制軸を強く打撃することになり、この箇所においても大きな打撃音が発生していた。
【０００６】
しかも、商品接当に伴う板金製ガイド板の最大後退揺動位置が、下方に隣接する板金製ガイド板のカール部、又は、左右の側板間に架設された金属製の規制軸との当接によって
規制されているため、補充されて商品収納通路内に積み上げられた商品の荷重を、揺動自在な可動ガイド板でのみ受止めることになり、可動ガイド板の変形破損を招来する可能性があった。
【０００７】
更に、ペットボトルを収納可能な通路幅の広い商品収納通路と缶専用の通路幅の狭い商品収納通路とを製作する場合、通路幅の広い商品収納通路に対応した長尺の左右勝手違いの両固定ガイド板と、通路幅の狭い商品収納通路に対応した短尺の固定ガイド板と、長尺の固定ガイド板に装着される可動ガイド板と、短尺の固定ガイド板に装着される可動ガイド板といった５種類のガイド板を準備する必要があり、組立て作業の煩雑化と製造コストの高騰化を招来していた。
【０００８】
本発明は、上述の実状に鑑みて為されたものであって、その第１の主たる課題は、ガイド板の合理的な改造をもって衝撃音や打撃音を効果的に減少することのできる自動販売機の商品収納装置を提供する点にあり、第２及び第３の主たる課題は、ガイド板の合理的な改造をもって衝撃音や打撃音を効果的に減少することができるばかりでなく、組立て作業の容易化と製造コストの低廉化を図ることのできる自動販売機の商品収納装置を提供する点にある。
【課題を解決するための手段】
【０００９】
本発明の請求項１による特徴構成は、左右の側板間に、複数の商品を上下方向に積み重ね収納可能な蛇腹状の商品収納通路を形成する多数のガイド板を上下方向に配設してある自動販売機の商品収納装置であって、
前記ガイド板が、縦桟と横桟を組み合わせた格子形状に合成樹脂で一体成形されている点にある。
【００１０】
上記特徴構成によれば、投入された商品が商品収納通路を構成するガイド板に衝突したとき、この衝突によって生じた振動はガイド板を構成する複数の縦桟と横桟を伝わるため、衝突音の放射率が小さくなるとともに、共鳴振動を起こす平面部が少なくなり、しかも，合成樹脂で格子状に一体成形するため、従来の板金製に比して音の吸収（減衰）効果が高く、しかも、弾性率が低く靭性が高いためにバネ効果を発揮し易くなり、衝撃音又は打撃音を効果的に減少することができる。
【００１１】
特に、従来の板金製のガイド板に比して人の聴感的に耳障りな高周波音成分が少なくなり、より耳に優しい比較的低い周波数帯域にその成分の主要部が集中するため、音圧測定値以上に人の聴感的な静けさを得ることができる。
【００１２】
更に、ガイド板を構成する横桟が縦桟よりも本数が少ない場合には、衝突によって生じた振動が横方向に伝播され難くなり、左右の側板が振動して音を発生することを抑制することができる。
【００１３】
従って、ガイド板を合成樹脂で格子形状に一体成形するといった合理的な改造をもって商品との衝撃音又は打撃音を効果的に減少することができる。
【００１４】
本発明の請求項２による特徴構成は、左右の側板間に、複数の商品を上下方向に積み重ね収納可能な蛇腹状の商品収納通路を形成する多数のガイド板を上下方向に配設してある自動販売機の商品収納装置であって、
前記ガイド板の少なくとも一部が、左右の側板間に架設される固定ガイド板と、この固定ガイド板の上端部に横軸芯周りで揺動自在に枢支され、かつ、商品収納通路内に突出付勢された可動ガイド板との組み合わせから構成されているとともに、固定ガイド板及び可動ガイド板の各々が、縦桟と横桟を組み合わせた格子形状に合成樹脂で一体成形されている点にある。
【００１５】
上記特徴構成によれば、投入された商品が商品収納通路を構成するガイド板に衝突したとき、この衝突によって生じた振動はガイド板を構成する複数の縦桟と横桟を伝わるため、衝突音の放射率が小さくなるとともに、共鳴振動を起こす平面部が少なくなり、しかも、合成樹脂で格子状に一体成形するため、音の吸収（減衰）効果が高く、弾性率が低く靭性が高いためにバネ効果を発揮し易くなり、従来の板金製に比して衝撃音又は打撃音を効果的に減少することができる。
【００１６】
しかも、固定ガイド板の上端部に可動ガイド板を横軸芯周りで揺動自在に枢支することにより、補充されて商品収納通路Ｓ内に積み上げられた商品の荷重を、可動ガイド板のみならず、最終的には曲げ強度の大きな固定ガイド板で受止めることができるので、可動ガイド板が変形破損することはない。
【００１７】
更に、固定ガイド板と可動ガイド板とを組み合わせてあるガイド板ユニット又はそれと固定ガイド板とを商品収納通路の形態に応じて適宜配設するだけで商品収納装置を組み立てることができる。
【００１８】
従って、固定ガイド板及び可動ガイド板を合成樹脂で格子形状に一体成形するといった合理的な改造をもって商品との衝撃音又は打撃音を効果的に減少することができるばかりでなく、可動ガイド板の変形破損を抑制することができ、しかも、組立て作業の容易化と製造コストの低廉化を図ることができる。
【００１９】
本発明の請求項３による特徴構成は、左右の側板間に、複数の商品を上下方向に積み重ね収納可能な蛇腹状の商品収納通路を形成する多数のガイド板を上下方向に配設してある自動販売機の商品収納装置であって、
前記ガイド板が、通路幅の広い商品収納通路に対応した長尺の固定ガイド板と、通路幅の狭い商品収納通路に対応した短尺の固定ガイド板と、短尺固定ガイド板の前面及び長尺固定ガイド板の前面右側又は前面左側に対して選択的に装着自在で、かつ、商品収納通路内に突出付勢された可動ガイド板とから構成されていて、それらの組み合わせから通路幅の異なる二種類の商品収納通路を選択的に構成するとともに、各固定ガイド板及び可動ガイド板の各々が、縦桟と横桟を組み合わせた格子形状に合成樹脂で一体成形されている点にある。
【００２０】
上記特徴構成によれば、ペットボトルを収納可能な通路幅の広い商品収納通路と缶専用の通路幅の狭い商品収納通路とを製作する場合でも、単一種類の可動ガイド板を長尺固定ガイド板の前面右側と前面左側及び短尺固定ガイド板の前面に選択的に装着することができるから、三種類のガイド板を作り分けるだけでよく、部品作成のための金型費用が少なくて済むとともに、組立て工数の減少を図ることができる。
【００２１】
しかも、長尺固定ガイド板又は短尺固定ガイド板の上端部に可動ガイド板を横軸芯周りで揺動自在に枢支することにより、補充されて商品収納通路Ｓ内に積み上げられた商品の荷重を、可動ガイド板のみならず、最終的には曲げ強度の大きな長尺固定ガイド板又は短尺固定ガイド板で受止めることができるので、可動ガイド板が変形破損することはない。
【００２２】
更に、投入された商品が商品収納通路を構成する各固定ガイド板又は可動ガイド板に衝突したとき、この衝突によって生じた振動は各固定ガイド板又は可動ガイド板を構成する複数の縦桟と横桟を伝わるため、衝突音の放射率が小さくなるとともに、共鳴振動を起こす平面部が少なくなり、しかも、合成樹脂で格子状に一体成形するため、音の吸収（減衰）効果が高く、弾性率が低く靭性が高いためにバネ効果を発揮し易くなり、従来の板金製に比して衝撃音又は打撃音を効果的に減少することができる。
【００２３】
従って、三種類のガイド板を合成樹脂で格子形状に一体成形するといった合理的な改造をもって、商品との衝撃音又は打撃音を効果的に減少することができるばかりでなく、可動ガイド板の変形破損を抑制することができ、通路幅の異なる二種類の商品収納通路を備えた商品収納装置を製作する場合でも、組立て作業の容易化と製造コストの低廉化を図ることができる。
【００２４】
本発明の請求項４による自動販売機の商品収納装置の特徴構成は、前記可動ガイド板の少なくとも縦桟の一部が、固定ガイド板の縦桟の隣接間に対して揺動方向から入り込み自在に構成されているとともに、可動ガイド板の少なくとも縦桟の一部の入り込み移動に連れて、固定ガイド板の少なくとも縦桟の一部の端面が商品受止め位置に臨むように構成されている点にある。
【００２５】
上記特徴構成によれば、商品収納通路内を落下してくる商品が可動ガイド板と衝突すると、可動ガイド板の少なくとも縦桟の一部が、突出付勢力に抗して退避揺動しながら固定ガイド板の縦桟の隣接間に対して揺動方向から入り込むことにより、落下商品を減速すると同時に落下姿勢を設定収納姿勢（水平姿勢）に矯正することができ、しかも、この可動ガイド板の入り込み移動に連れて、固定ガイド板の少なくとも縦桟の一部の端面が商品受止め位置に臨むから、最終的には商品を強度の大きな固定ガイド板で確実に受け止めることができる。
【００２６】
従って、落下商品を減速しながら設定収納姿勢に矯正することができるばかりでなく、減速した商品を固定ガイド板に受け渡すことができるので、固定ガイド板と商品との衝突音を減少しながら商品を設定収納姿勢で確実に落下案内することができるとともに、可動ガイド板の変形、破損を抑制することができる。
【００２７】
本発明の請求項５による自動販売機の商品収納装置の特徴構成は、前記固定ガイド板の上部に、可動ガイド板の揺動支軸を脱着自在に支承する軸受け凹部と、左右の側板間に架設される取付け部材を脱着自在に係合保持する係合保持手段とが設けられ、固定ガイド板に係合保持された取付け部材の一部が、軸受け凹部に装着された揺動支軸の抜け出しを阻止する抜け落ち防止部に構成されている点にある。
【００２８】
上記特徴構成によれば、固定ガイド板の上部に形成された軸受け凹部に可動ガイド板の揺動支軸を装着したのち、固定ガイド板の上部に設けた係合保持手段を介して取付け部材を係合保持することにより、固定ガイド板と可動ガイド板とを一つのガイド板ユニットとして取り扱うことができるから、組み立て作業の容易化，能率化を図ることができる。
【００２９】
しかも、固定ガイド板の上部に軸受け凹部が直接形成され、かつ、これに装着した可動ガイド板の揺動支軸の抜け出し移動を、ガイド板ユニットを左右の側板に取付けるための取付け部材の一部を利用して阻止することができるから、部品点数が少なくなり、組み立て作業の容易化、能率化を促進することができる。
【００３０】
本発明の請求項６による自動販売機の商品収納装置の特徴構成は、前記取付け部材に、左右の側板に設けられた取付け孔に対して差し込み自在で、かつ、所定位置に差し込まれたとき取付け孔の周縁に係合して左右方向での相対移動を阻止する差込み連結手段が設けられている点にある。
【００３１】
上記特徴構成によれば、左右の側板間に亘って、商品収納通路を構成する固定ガイド板及び可動ガイド板を組み立てる場合、取付け部材に設けた差込み連結手段を、両側板の取付け孔に対して左右方向から差し込み操作するだけで済み、しかも、差込み連結手段が所定位置に差し込まれたときには取付け孔の周縁に係合して、取付け部材と側板とが左右方向での相対移動を阻止した状態で固定連結されるから、各取付け部材が両側板の対向間隔を設定間隔に維持するための骨格部材としても機能する。
【００３２】
従って、左右の側板を吊下げ支持したまま各取付け部材を組付けることが可能であるから、商品収納装置の種類に応じた数の組立て治具及びプレス治具を準備する必要がなく、しかも、部品点数及び組立工数の削減を図ることができるとともに、カール加工等の複雑な加工数も少なくなり、部品コスト及び製造コストの低廉化と構造の簡素化とを図りながら能率良く容易に組み立てることができる。
【００３３】
本発明の請求項７による自動販売機の商品収納装置の特徴構成は、前記可動ガイド板に揺動支軸が一体成形され、それの一端部には、可動ガイド板を商品収納通路内に突出付勢するネジリバネのコイル部が脱着自在に外装される装着用軸部が一体形成されている点にある。
【００３４】
上記特徴構成によれば、可動ガイド板の成形時に揺動支軸も同時に一体成形することができるとともに、その揺動支軸の一端側の軸部を利用してネジリバネのコイル部を外装することができるから、部品点数が少なくなり、組み立て作業の容易化、能率化を促進することができる。
【００３５】
本発明の請求項8による自動販売機の商品収納装置の特徴構成は、前記固定ガイド板の軸受け凹部に、可動ガイド板を商品収納通路内に突出付勢する状態で可動ガイド板の揺動支軸に外装されたネジリバネのコイル部を下方側から支える支持片が形成されている点にある。
【００３６】
上記特徴構成によれば、固定ガイド板の軸受け凹部に可動ガイド板の揺動支軸を外装するとともに、その揺動支軸にネジリバネのコイル部を装着し、ネジリバネの一端部（第１の腕）を可動ガイド板に係合し、更に、ネジリバネの他端部（第２の腕）を固定ガイド板又は取付け部材に係合することにより、固定ガイド板に対して可動ガイド板を商品収納通路側に突出付勢した状態で組み立てることができるのであるが、このとき、図２２に示すように、ネジリバネのコイル部は、ネジリバネの他端部を係止することによって生じる反力によって揺動軸芯側へ押されるため、ネジリバネのコイル部が揺動支軸の外周面に強く接触し、可動ガイド板の回転摺動抵抗が増大する不都合がある。
【００３７】
しかし、本願発明では、揺動支軸に外装されたネジリバネのコイル部を下方側から支える支持片が固定ガイド板の軸受け凹部に形成されているので、ネジリバネの他端部を固定ガイド板又は取付け部材に係合することによって、ネジリバネのコイル部を揺動軸芯側に押付ける方向の反力が生じても、揺動支軸芯からズレ移動しようとするネジリバネのコイル部を支持片で受止めることができるから、ネジリバネのコイル部が揺動支軸の外周面に強く押付けられることがなく、可動ガイド板をスムーズに揺動させることができる。
【００３８】
本発明の請求項9による自動販売機の商品収納装置の特徴構成は、前記固定ガイド板の上部側に、入り込み移動する可動ガイド板の下端部が固定ガイド板の下端部に当接する前に、可動ガイド板の上部側との当接によって最大入り込み位置を規制する弾性変形可能な回転規制片が形成されている点にある。
【００３９】
上記特徴構成によれば、商品収納通路内を落下してくる商品が可動ガイド板と衝突すると、可動ガイド板の少なくとも縦桟の一部が、突出付勢力に抗して退避揺動しながら固定ガイド板の縦桟の隣接間に対して揺動方向から急速に入り込むが、このとき、固定ガイド板の上部側に形成された回転規制片に対して可動ガイド板の上部側が当接して、可動ガイド板の下端部が固定ガイド板の下端部に当接することを防止することができるので、大きな打撃音が発生することがない。
【００４０】
しかも、固定ガイド板の上部側に形成された回転規制片は、可動ガイド板の上部側との当接に連れて弾性変形するため、可動ガイド板の揺動が止められた時に発生する衝撃振動を効果的に減衰して音の発生を抑制することができる。
【発明を実施するための最良の形態】
【００４１】
〔第１実施形態〕
図１に示す自動販売機の商品収納装置では、断熱壁１で囲繞されるキャビネットＡの商品収納庫２内に、飲料缶や飲料瓶、ペットボトル等の複数の商品３を下方に払い出し可能な状態でほぼ上下方向に沿って水平姿勢で積重ね収納するための商品収納通路Ｓを備えた商品収納コラムを前後方向で複数列形成してある商品収納コラムユニットＵの二つが、前後方向から吊下げ状態で脱着可能に組付けられているとともに、各商品収納コラムの前面には、商品収納通路Ｓの上部に商品３を投入するための商品投入口４が形成され、各商品収納通路Ｓの下部には、商品払出指令信号（販売指令信号）に基づいて最下端から二番目に位置する商品３を受止めながら最下端に位置する商品３を一つずつ払い出す商品払出機構Ｂが設けられている。
【００４２】
また、各商品収納コラムの商品収納通路Ｓのうち、前から二列目以降に位置する商品収納通路Ｓの上部とそれに対応する商品投入口４との間には、それらを斜めに接続するための傾斜導入通路Ｓ１を形成する商品導入ガイド５が設けられているとともに、各商品導入ガイド５は、奥側ほど少し下方に位置する傾斜姿勢に形成されていて、商品投入口４から投入された商品３は、左右の側板６間に亘って架設される商品導入ガイド５の傾斜底板５Ａ上を滑降又は転動しながら商品収納通路Ｓの上部に移入し、商品収納通路Ｓ内を蛇行しながら商品払出機構Ｂ側へ搬送されるように構成されている。
【００４３】
更に、各商品収納コラムの商品収納通路Ｓのうち、前から二列目以降に位置する各商品収納通路Ｓの入口部には、図２〜図５に示すように、傾斜導入通路Ｓ１に沿って滑降供給される商品３と当接してそれの投入姿勢を矯正する側面視略への字状の姿勢矯正板７が、商品３の通過移動に連れて横軸芯Ｘ周りでシーソー揺動自在で、かつ、上側端部７ａが傾斜導入通路Ｓ１内の矯正作用位置に突出付勢された状態で設けられているとともに、各姿勢矯正板７が、板厚方向に貫通する多数の貫通孔７ｂを備えた合成樹脂製の多孔板から構成され、当該実施形態では、図６に示すように、複数の縦桟７Ａと横桟７Ｂを組み合わせた格子形状に弾性を有する合成樹脂（ＰＯＭ）で一体形成されている。
【００４４】
そのため、傾斜導入通路Ｓ１に沿って滑降又は転動してきた商品３が姿勢矯正板７の上側端部７ａに当接したときに衝撃音が発生するが、姿勢矯正板７が弾性を有する合成樹脂で格子形状に成形されているため、板金製に比して音の吸収（減衰）効果が高く、しかも、弾性率が低く靭性が高いためにバネ効果を発揮し易い。更に、この衝突によって生じた振動は複数の縦桟７Ａと複数の横桟７Ｂを伝わるが、共鳴振動を起こす平面部が少なく、衝突音の放射率が小さくなるため、衝撃音を効果的に減少することができる。
【００４５】
特に、従来の板金製の姿勢矯正板に比して人の聴感的に耳障りな高周波音成分が少なくなり、より耳に優しい比較的低い周波数帯域にその成分の主要部が集中するため、音圧測定値以上に人の聴感的な静けさを得ることができる。
【００４６】
商品収納通路Ｓとしては、図１５〜図１６に示すように、ペットボトルを収納可能な通路幅Ｗの広い商品収納通路Ｓと、図１７に示すように、缶専用の通路幅Ｗの狭い商品収納通路Ｓとの二種類が存在し、通路幅Ｗの広い商品収納通路Ｓには、これの通路幅Ｗを収納商品（ペットボトル又は缶）３の長さに応じて変更するべく、商品収納通路Ｓの上端近くから下端部にまで及ぶ長さを有する板金製の幅調整板（図示せず）が、通路幅方向に平行又は略平行姿勢のまま移動操作自在に配設されている。
【００４７】
商品収納通路Ｓを構成するガイド板は、図１２〜図１７に示すように、通路幅Ｗの広い商品収納通路Ｓに対応した長尺の固定ガイド板８と、通路幅Ｗの狭い商品収納通路Ｓに対応した短尺の固定ガイド板９と、長尺固定ガイド板８の前面の左側又は右側に対して若しくは短尺固定ガイド板９の前面に対して選択的に装備可能な共通部品としての可動ガイド板１０とからなり、各ガイド板８，９，１０は、板厚方向に貫通する多数の貫通孔８ａ，９ａ，１０ａを備えた合成樹脂製の多孔板から構成され、当該実施形態では、複数の縦桟８Ａ，９Ａ，１０Ａと横桟８Ｂ，９Ｂ，１０Ｂを組み合わせた格子形状に弾性を有する合成樹脂（ＰＯＭ）で一体成形されている。
【００４８】
そのため、投入された商品３が商品収納通路Ｓを構成する固定ガイド板８，９及び可動ガイド板１０に衝突したとき、この衝突によって生じた振動は固定ガイド板８，９及び可動ガイド板１０を構成する複数の縦桟８Ａ，９Ａ，１０Ａと横桟８Ｂ，９Ｂ，１０Ｂに伝播されるため、衝突音の放射率が小さくなるとともに、共鳴振動を起こす平面部が少なくなり、しかも、弾性を有する合成樹脂で格子形状に一体成形されているため、音の吸収（減衰）効果が高く、弾性率が低く靭性が高いためにバネ効果を発揮し易くなり、従来の板金製に比して衝撃音又は打撃音を効果的に減少することができる。
【００４９】
更に、固定ガイド板８，９及び可動ガイド板１０を構成する横桟８Ｂ，９Ｂ，１０Ｂの本数が縦桟８Ａ，９Ａ，１０Ａの本数よりも少ないため、商品３との衝突や打撃等により発生した振動が横方向に伝播され難く、商品収納コラムを構成する板金製の両側板６全体が振動して音を発生することを効果的に抑制することができる。
【００５０】
長尺固定ガイド板８の上部には、図１２に示すように、通路幅Ｗの広い商品収納通路Ｓを形成する左右の側板６間に架設される板金製の取付け部材１３を脱着自在に係合保持する係合保持手段Ｃが設けられているとともに、短尺固定ガイド板９の上部にも、図１３に示すように、通路幅Ｗの狭い商品収納通路Ｓを形成する左右の側板６間に架設される板金製の取付け部材１３を脱着自在に係合保持する同一構造の係合保持手段Ｃが設けられ、更に、各取付け部材１３には、左右の側板６に設けられた取付け孔１４に対して差し込み自在で、かつ、所定位置に差し込まれたとき取付け孔１４（図２３参照）の周縁に係合して左右方向での相対移動を阻止する差込み連結手段Ｄが設けられている。
【００５１】
そして、長尺固定ガイド板８、短尺固定ガイド板９、長尺固定ガイド板８の前面左側に可動ガイド板１０を揺動自在に装着してあるガイド板ユニット（図１６参照）、長尺固定ガイド板８の前面右側に可動ガイド板１０を揺動自在に装着してあるガイド板ユニット（図１５参照）、短尺固定ガイド板９の前面に可動ガイド板１０を揺動自在に装着してあるガイド板ユニット（図１7参照）を製作し、その中から商品収納通路Ｓの形態に応じて選定された部品を、収納予定商品３の最大長さよりも若干大きな間隔で固定連結された左右一対の側板６間に亘って、前後方向に間隔をおいて対向する状態で、かつ、前後方向で対向するガイド板同士の高さを互いに半ピッチずつ位置齟齬する状態で架設することにより、各商品収納通路Ｓが商品補充時の落下衝撃を緩和可能な蛇行状に構成されている。
【００５２】
また、各商品収納通路Ｓの下部側で、かつ、商品払出機構Ａの上方近傍箇所には、商品収納通路Ｓ内の商品Ｇの存否を検出するべく、幅調整板の通路幅変更操作領域外の商品収納通路部分内に弾性力で突出付勢された板金製の売切れ感知板（売切れフラッパー）１１がそれの上端側の横軸芯周りで揺動自在に設けられている。
【００５３】
次に、姿勢矯正板７及びそれの取付け構造について説明する。
図２〜図６に示すように、姿勢矯正板７は、複数の縦桟７Ａと複数の横桟７Ｂとをもって側面視略くの字状に合成樹脂で一体成形されていて、各縦桟７Ａの屈曲箇所には、左右一対の側板６間に亘って架設される筒状の揺動支軸１５が相対回転自在に挿入される軸受け孔７ｃが貫通形成されているとともに、姿勢矯正板７の上側端部７ａは、商品導入ガイド５の傾斜底板５Ａ上を滑降又は転動してくる商品３がスムーズに押し上げながら移入できるように、その先端ほど上方に位置する傾斜姿勢に屈曲形成されている。
【００５４】
前記姿勢矯正板７のうち、最後列以外の商品収納通路Ｓの入口部に配置される姿勢矯正板７とそれの上方位置に配設される固定部材の一例である商品導入ガイド５の傾斜底板５Ａとの間には、姿勢矯正板７の上側端部７ａを傾斜導入通路Ｓ１内の矯正作用位置に付勢維持し、かつ、商品３との当接に伴う姿勢矯正板７の上側端部７ａの押し上げ揺動に連れて弾性変形するダンパー１６が設けられているとともに、最後列の商品収納通路Ｓの入口部に配置される姿勢矯正板７とそれの上方位置に配設される固定部材の一例である横断面略Ｌの字状の間隔規制部材１７との間にも、姿勢矯正板７の上側端部７ａを傾斜導入通路Ｓ１内の矯正作用位置に付勢維持し、かつ、商品３との当接に伴う姿勢矯正板７の上側端部７ａの押し上げ揺動に連れて弾性変形するダンパー１６が設けられている。
【００５５】
各ダンパー１６は、姿勢矯正板７の左右方向中央部の上側部分に形成された凹部７ｆに臨む横桟部分に一体成形された側面視略Ｌ状のダンパー片から構成されていて、商品導入ガイド５の傾斜底板５Ａ又は間隔規制部材１７に当接する厚肉の当り部１６ａと、弾性変形可能な薄肉の繋ぎ部１６ｂとから構成されている。
【００５６】
前記商品収納通路Ｓを構成する状態で上下方向に沿って配設される複数のガイド板８，９，１０のうち、商品投入口４に対面する状態で商品収納通路Ｓの最上部に位置するガイド板１０が、長尺固定ガイド板８又は短尺固定ガイド板９の上端部の横軸芯Ｘ周りで揺動自在で、かつ、ネジリバネ１２の弾性付勢力で商品収納通路Ｓ内に突出付勢された可動ガイド板から構成されているとともに、姿勢矯正板７の下側端部７ｄが、商品収納通路Ｓ内に突出付勢されている可動ガイド板１０の上下中央部に当接するように構成され、更に、可動ガイド板１０の下半側が商品３との当接に連れて最大後退位置にまで揺動したときにおいても、姿勢矯正板７に一体成形されたダンパー片１６の当り部１６ａとそれの上方に配置された商品導入ガイド５の傾斜底板５Ａ又は間隔規制部材１７との当接状態が常時維持されるように構成されている。
【００５７】
そして、姿勢矯正板７が商品３と接触していない初期設定状態では、図２に示すように、姿勢矯正板７に一体成形されたダンパー片１６の当り部１６ａが商品導入ガイド５の傾斜底板５Ａ又は間隔規制部材１７に当接し、かつ、姿勢矯正板７の下側端部７ｄが商品収納通路Ｓ内に突出付勢されている可動ガイド板１０の上下中央部に当接しているため、姿勢矯正板７は、ダンパー片１６の弾性付勢力と可動ガイド板１０を突出付勢するネジリバネ１２の弾性付勢力とのバランスの取れた中立姿勢に維持されている。
【００５８】
姿勢矯正板７が中立姿勢にある状態では、図２、図３に示すように、姿勢矯正板７の上側端部７ａと商品導入ガイド５の傾斜底板５Ａの上面との間の最小対向間隔が、商品３の直径よりも少し小なる間隔に設定されていて、傾斜導入通路Ｓ１に沿って滑降又は転動してきた商品３が、商品収納通路Ｓの入口部に設けられた姿勢矯正板７の上側端部７ａに当接したとき、その上側端部７ａを中立姿勢への弾性付勢力に抗して上方に押し上げ揺動させることにより、姿勢矯正板７の凹状搬送ガイド面７ｅ側への商品３の移入を許容すると同時に、商品３の投入姿勢を傾斜導入通路Ｓ１の幅方向に沿う設定投入姿勢に矯正する。
【００５９】
更に、図３、図４に示すように、傾斜導入通路Ｓ１に沿って滑降又は転動してきた商品３が姿勢矯正板７の上側端部７ａに当接して、姿勢矯正板７の上側端部７ａに押し上げ揺動力が加わって跳ね上げられたとき、及び、図５に示すように、商品３が通過して所期の中立姿勢に復帰揺動したとき、姿勢矯正板７に一体形成されたダンパー片１６の繋ぎ部１６ｂの弾性変形によって、姿勢矯正板７の揺動エネルギーを吸収することができるから、姿勢矯正板７の上側端部７ａが商品導入ガイド５の傾斜底板５Ａ又は間隔規制部材１７を打撃することに起因する衝撃音の発生を防止することができる。
【００６０】
図４、図５に示すように、傾斜導入通路Ｓ１に沿って滑降又は転動してきた商品３が姿勢矯正板７の上側端部７ａを押し上げてそれの凹状搬送ガイド面７ｅ側に移入し、かつ、姿勢矯正板７の下半側部分を押し込みながら商品収納通路Ｓに移入案内される際、姿勢矯正板７の下側端部７ｄと当接している可動ガイド板１０もネジリバネ１２の突出付勢力に抗して引退揺動されるため、その引退揺動による回転減速作用により、商品３が姿勢矯正板７の下半側部分に衝突したときの衝撃力を効果的に減衰することができ、衝撃音の発生を抑制することができる。
【００６１】
次に、商品収納通路Ｓを構成するガイド板８，９，１０及びそれらの取付け構造について説明する。
長尺固定ガイド板８は、図１２、図１４〜図１６に示すように、１５枚の板状の縦桟８Ａと上下一対の横桟８Ｂとをもって格子形状に合成樹脂で一体成形されているとともに、各縦桟８Ａのうち、商品収納通路Ｓ側に臨む商品ガイド端面８ｂが、側面視において略弓形状又は湾曲形状に形成され、背面側の端面８ｃが、側面視において鉛直方向に沿った直線状又は略直線状に形成されている。
【００６２】
また、各縦桟８Ａのうち、左右両外側に位置する縦桟８Ａを除く他の各縦桟８Ａの上端側背面には、側面視略Ｌ字状に窪む軸受け面２０ａが切欠き形成され、これに対抗する上側横桟８Ｂのうち、縦桟８Ａの隣接間中央相当位置と左右両外側の縦桟８Ａに連続する部位には、縦桟８Ａの上端よりも上方に突出する方形状の軸受け片２０ｂが一体成形されていて、縦桟８Ａの軸受け面２０ａと横桟８Ｂ側の軸受け片２０ｂとをもって、可動ガイド板１０の揺動支軸２１を脱着自在に支承する軸受け凹部２０が形成されているとともに、左右両外側に位置する縦桟８Ａには、軸受け凹部２０に装着された揺動支軸２１の端面に当接又は近接してそれの横軸芯Ｘ方向への摺接移動を規制する抜止め片２２が一体形成されている。
【００６３】
短尺固定ガイド板９は、図１３、図１４、図１７に示すように、１０枚の板状の縦桟９Ａと上下一対の横桟９Ｂとをもって格子形状に合成樹脂で一体成形されているとともに、各縦桟９Ａのうち、商品収納通路Ｓ側に臨む商品ガイド端面９ｂが、側面視において略弓形状又は湾曲形状に形成され、背面側の端面９ｃが、側面視において鉛直方向に沿った直線状又は略直線状に形成されている。
【００６４】
また、各縦桟９Ａのうち、左右両外側に位置する縦桟９Ａを除く他の各縦桟９Ａの上端側背面には、長尺固定ガイド板８と同様に、側面視略Ｌ字状に窪む軸受け面２０ａが切欠き形成され、これに対抗する上側横桟９Ｂのうち、縦桟９Ａの隣接間中央相当位置と左右両外側の縦桟９Ａに連続する部位には、縦桟９Ａの上端よりも上方に突出する方形状の軸受け片２０ｂが一体成形されていて、縦桟９Ａの軸受け面２０ａと横桟９Ｂ側の軸受け片２０ｂとをもって、可動ガイド板１０の揺動支軸２１を脱着自在に支承する軸受け凹部２０が形成されているとともに、左右両外側に位置する縦桟９Ａには、軸受け凹部２０に装着された揺動支軸２１の端面に当接又は近接してそれの横軸芯Ｘ方向への摺接移動を規制する抜止め片２２が一体形成されている。
【００６５】
また、長尺固定ガイド板８の各縦桟８Ａのうち、左右両外側に位置する縦桟８Ａを除く他の各縦桟８Ａの背面で、下側横桟８Ｂとの接合箇所に連続する上側部分には、側面視において三角形状に窪む切込み部２６が形成されているとともに、短尺固定ガイド板９の各縦桟９Ａのうち、左右両外側に位置する縦桟９Ａを除く他の各縦桟９Ａの背面で、下側横桟９Ｂとの接合箇所に連続する上側部分にも、側面視において三角形状に窪む切込み部２６が形成されている。
【００６６】
そのため、各固定ガイド板８，９の左右中間に位置する各縦桟８Ａ，９Ａは夫々厚み方向に若干の弾性を有することになり、各固定ガイド板８，９に商品３が衝突したときの衝撃力を緩和して衝撃音の発生を抑制することができる。
【００６７】
可動ガイド板１０は、図１２、図１５〜図１７に示すように、１２枚の板状の縦桟１０Ａと上下一対の横桟１０Ｂとをもって格子形状に合成樹脂で一体成形され、各縦桟１０Ａの商品収納通路Ｓ側に臨む商品ガイド端面１０ｂ及び背面側の端面１０ｃが、側面視において略弓形状又は湾曲形状に形成されているとともに、縦桟１０Ａのうち、板状の上側横桟１０Ｂよりも上方に突出する縦桟１０Ａの上端部に亘って揺動支軸２１が一体形成され、更に、揺動支軸２１の一端部には、可動ガイド板１０を商品収納通路Ｓ内に突出付勢するネジリバネ１２のコイル部１２ａが脱着自在に外装される小径のバネ装着用軸部２１Ａが一体形成されている。
【００６８】
可動ガイド板１０は、商品ガイド端面１０ｂ及び背面側端面１０ｃを共に略弓形状又は湾曲形状に形成して、上下方向全域での厚みが必要以上に厚くならない状態で略均等化することにより、揺動方向に若干の弾性を有することになり、揺動が止められたときに発生する衝撃振動を減衰することができる。
【００６９】
可動ガイド板１０の縦桟１０Ａのうち、左右両外側位置及び左右中央位置において夫々隣接する両縦桟１０Ａを、長尺固定ガイド板８の縦桟８Ａの隣接間及び短尺固定ガイド板９の縦桟９Ａの隣接間に揺動方向から入り込み可能な幅で近接配置するとともに、両固定ガイド板８，９の縦桟８Ａ，９Ａの形成ピッチと可動ガイド板１０の左右中間に位置する縦桟１０Ａの形成ピッチとが同一に構成されている。
【００７０】
そのため、長尺固定ガイド板８の軸受け凹部２０の左側に可動ガイド板１０の揺動支軸２１を揺動自在に装着して構成されるガイド板ユニット（図１６参照）、長尺固定ガイド板８の軸受け凹部２０の右側に可動ガイド板１０の揺動支軸２１を揺動自在に装着して構成されるガイド板ユニット（図１５参照）、短尺固定ガイド板９の軸受け凹部２０に可動ガイド板１０の揺動支軸２１を揺動自在に装着して構成されるガイド板ユニット（図１７参照）の何れにおいても、可動ガイド板１０の縦桟１０Ａの大部分が、長尺固定ガイド板８の縦桟８Ａの隣接間又は短尺固定ガイド板９の縦桟９Ａの隣接間に対して揺動方向から入り込み自在に構成されているとともに、この可動ガイド板１０の入り込み移動に連れて、長尺固定ガイド板８の商品ガイド端面８ｂ及び短尺固定ガイド板９の商品ガイド端面９ｂの少なくとも一部、詳しくは、下半側部分が可動ガイド板１０の商品ガイド端面１０ｂと面一になる商品受止め位置に臨むように構成されている。
【００７１】
そして、図７〜図１１に示すように、商品収納通路Ｓ内を落下してくる商品３が可動ガイド板１０と衝突すると、可動ガイド板１０の縦桟１０Ａの下半側部分が、ネジリバネ１２の突出付勢力に抗して退避揺動しながら長尺固定ガイド板８の縦桟８Ａの隣接間又は短尺固定ガイド板９の縦桟９Ａの隣接間に対して揺動方向から入り込むことにより、落下商品３を減速すると同時に落下姿勢を設定収納姿勢（水平姿勢）に矯正することができ、しかも、この可動ガイド板１０の入り込み移動に連れて、長尺固定ガイド板８の商品ガイド端面８ｂの下半側部分又は短尺固定ガイド板９の商品ガイド端面９ｂの下半側部分が、可動ガイド板１０の商品ガイド端面１０ｂと面一となる商品受止め位置に臨むから、最終的には商品３を充分な縦方向曲げ強度を有する長尺固定ガイド板８又は短尺固定ガイド板９で受け止めることができる。
【００７２】
それ故に、図１１に示すように、補充されて商品収納通路Ｓ内に積み上げられた商品３の荷重を、長尺固定ガイド板８を構成する縦方向曲げ強度の大きな複数の縦桟８Ａ又は短尺固定ガイド板９を構成する縦方向曲げ強度の大きな複数の縦桟９Ａで受止めることができるので、可動ガイド板１０が変形破損することはない。
【００７３】
図１４に示すように、長尺固定ガイド板８の上側横桟８Ｂの下辺の左右中央位置と左右外側端側に偏位した位置との三箇所、及び、短尺固定ガイド板９の上側横桟９Ｂの左右外側端側に偏位した位置の二箇所には、入り込み移動する可動ガイド板１０の下側横桟１０Ｂが固定ガイド板８，９の下側横桟８Ｂ，９Ｂに当接する前に、可動ガイド板１０の縦桟１０Ａの上部側との当接によって最大入り込み位置を規制する弾性変形可能な回転規制片２３が一体形成されている。
【００７４】
そのため、図７、図８に示すように、商品収納通路Ｓ内を落下してくる商品３が可動ガイド板１０と衝突すると、可動ガイド板１０の縦桟１０Ａの下半側部分が、ネジリバネ１２の突出付勢力に抗して退避揺動しながら長尺固定ガイド板８の縦桟８Ａの隣接間又は短尺固定ガイド板９の縦桟９Ａの隣接間に対して揺動方向から急速に入り込むが、このとき、長尺固定ガイド板８又は短尺固定ガイド板９の上部側に形成された回転規制片２３に対して可動ガイド板１０の縦桟１０Ａの上部側が当接して、可動ガイド板１０の下端部が長尺固定ガイド板８又は短尺固定ガイド板９の下端部に当接することを防止することができるので、大きな打撃音が発生することがない。しかも、回転規制片２３は、可動ガイド板１０の縦桟１０Ａの上部側との当接に連れて弾性変形するため、可動ガイド板１０の揺動が止められた時に発生する衝撃振動を効果的に減衰して音の発生を抑制することができる。
【００７５】
図１４〜図２２に示すように、長尺固定ガイド板８の上側横桟８Ｂのうち、軸受け凹部２０右側又は左側に装着された可動ガイド板１０の揺動支軸２１のバネ装着用軸部２１Ａに対応する部位、及び、短尺固定ガイド板９の上側横桟９Ｂのうち、軸受け凹部２０に装着された可動ガイド板１０の揺動支軸２１のバネ装着用軸部２１Ａに対応する部位の各々には、バネ装着用軸部２１Ａに外装されたネジリバネ１２のコイル部１２ａを下方側から支える略三角形のコイル支持片２４が一体形成されている。
【００７６】
そのため、図１８〜図２２に示すように、各固定ガイド板８，９の軸受け凹部２０に装着された揺動支軸２１のバネ装着用軸部２１Ａにネジリバネ１２のコイル部１２ａを装着し、ネジリバネ１２の一端部（第１の腕）１２ｂを、可動ガイド板１０の一端側の近接配置された両縦桟１０Ａ間で、かつ、上側横桟１０Ｂの裏面に形成された断面略三角形状のバネ受け部２５に係止し、更に、ネジリバネ１２の他端部（第２の腕）１２ｃを、各固定ガイド板８，９の軸受け凹部２０に係合保持された取付け部材１３に係止することにより、各固定ガイド板８，９に対して可動ガイド板１０を商品収納通路Ｓ側に突出付勢した状態で組み立てることができるのであるが、このとき、ネジリバネ１２のコイル部１２ａは、ネジリバネ１２の他端部１２ｃを係止することによって生じる反力（図２２の矢印イ）によって揺動軸芯Ｘ側へ押されるが、この反力で揺動軸芯Ｘからズレ移動しょうとするネジリバネ１２のコイル部１２ａの下側周面部分を下方（図２２の矢印ロ、ハ）からコイル支持片２４で受止めることができるから、ネジリバネ１２のコイル部１２ａが揺動支軸２１の外周面に強く押付けられることがなく、可動ガイド板１０をスムーズに揺動させることができる。
【００７７】
次に、前記係合保持手段Ｃについて説明する。
図１２〜図２２に示すように、各固定ガイド板８，９の縦桟８Ａ，９Ａのうち、左右両外側に位置する縦桟８Ａ，９Ａ及び左右中央側の特定位置の縦桟８Ａ，９Ａを除く他の各縦桟８Ａ，９Ａの上部に、軸受け凹部２０に向かって水平に開口する薄い横向きのスリット２８を形成するとともに、長尺固定ガイド板８の軸受け片２０ｂのうち、左右中央位置と左右外側端側に偏位した位置との三箇所、及び、短尺固定ガイド板９の軸受け片２０ｂの左右外側端側に偏位した位置の二箇所には、軸受け凹部２０に向かって突出する略三角形状のフック片２９が一体成形されている。
【００７８】
また、取付け部材１３は、図１２、図１３、図２２に示すように、各縦桟８Ａ，９Ａのスリット２８に係合する状態で軸受け凹部２０の上方を覆う水平板部１３ａと、これの一側辺から軸受け片２０ｂに沿って上方に延出される鉛直板部１３ｂと、これの上端部から軸受け片２０ｂの上部に係合する状態でＬ字状に延出される係合板部１３ｃとを折曲げ形成してある板金製であり、水平板部１３ａには、スリット２８が形成されていない左右中央側の特定位置の縦桟８Ａ，９Ａが入り込み可能な略Ｕ字状の位置決め用の切欠部３０が形成されているとともに、鉛直板部１３ｂには、水平板部１３ａの先端がスリット２８に係合し、かつ、係合板部１３ｃが軸受け片２０ｂの上部に係合したとき、特定位置の軸受け片２０ｂに形成されたフック片２９が弾性的に係合する係合孔３１が形成されている。
【００７９】
取付け部材１３は、図１５〜図１７に示すように、長尺固定ガイド板８又は短尺固定ガイド板９の幅寸法よりも若干長く構成されていて、それの両突出端部が左右の側板６に係合保持されている状態では、取付け部材１３の水平板部１３ａの先端が各縦桟８Ａ，９Ａのスリット２８に係合し、鉛直板部１３ｂが各縦桟８Ａ，９Ａの軸受け面２０ａに当接し、かつ、係合板部１３ｃが軸受け片２０ｂの上部に亘って係合しているから、商品収納通路Ｓに投入された商品３による打撃衝撃や積み上げ収納された商品３の荷重が、固定ガイド板８，９に対して商品収納通路Ｓの奥行き寸法方向（商品の径寸法方向）に広げるように作用したとき、固定ガイド板８，９の幅方向での撓み変形を抑制する状態で補強することができ、固定ガイド板８，９の幅方向での撓み変形に起因する商品３のブリッジ詰まりなどの不具合発生を防止することができる。
【００８０】
また、取付け部材１３は、それの水平板部１３ａの先端が各縦桟８Ａ，９Ａのスリット２８に対して背面側から係合されているので、商品収納通路Ｓに投入された商品３が固定ガイド板８，９や可動ガイド板１０に衝突、摺接等することによって生じた振動が、主に固定ガイド板８，９の縦桟８Ａ，９Ａを介して取付け部材１３の水平板部１３ａの係合先端に伝播されるが、この伝播された振動は、振動騒音を発生し易い左右の板金製側板６の板厚方向とは９０度ずれているため、板金製側板６が共鳴振動を起こすことなく分散減衰することができ、騒音の発生を抑制することができる。
【００８１】
更に、取付け部材１３は、固定ガイド板８，９の軸受け凹部２０内に略収まる小さな断面形状に形成されているため、共鳴振動を起こし易い大きな平面部が存在せず、取付け部材１３自体が騒音を発生することはない。
【００８２】
また、特定位置の軸受け片２０ｂに形成されたフック片２９は、図１８、図１９に示すように、軸受け凹部２０に可動ガイド板１０の揺動支軸２１を押し込み装着するとき、それ自身の若干の弾性変形と軸受け片２０ｂの弾性変形とにより、揺動支軸２１の通過を許容する位置にまで退避したのち、元の位置に弾性復帰して、揺動支軸２１の上方への抜け出しを阻止する阻止部に兼用構成されているとともに、取付け部材１３の一部である水平板部１３ａも、図２２に示すように、軸受け凹部２０に装着された揺動支軸２１の抜け出しを阻止する抜け落ち防止部に兼用構成されている。
【００８３】
そして、長尺固定ガイド板８又は短尺固定ガイド板９と可動ガイド板１０、ネジリバネ１２、取付け部材１３を組み立ててガイド板ユニットを製作するに、先ず、図１８に示すように、可動ガイド板１０の揺動支軸２１のバネ装着用軸部２１Ａにネジリバネ１２のコイル部１２ｂを外装するとともに、このネジリバネ１２の一端部（第１の腕）１２ｂを、可動ガイド板１０の一端側に近接配置された両縦桟１０Ａ間で、かつ、上側横桟１０Ｂの裏面に形成された断面略三角形状のバネ受け部２５に係止したのち、長尺固定ガイド板８又は短尺固定ガイド板９の軸受け凹部２０に可動ガイド板１０の揺動支軸２１を押し込み装着する。
【００８４】
次に、図１９に示すように、縦桟８Ａ，９Ａの上端部とネジリバネ１２の他端部（第２の腕）１２ｃとの間に、取付け部材１３の水平板部１３ａの先端を差し込み、この水平板部１３ａの裏面で取付け部材１３のネジリバネ１２の他端部１２ｃを押し込みながら取付け部材１３を軸受け片２０ｂ側に傾動操作すると、図２０に示すように、取付け部材１３の水平板部１３ａの先端が各縦桟８Ａ，９Ａのスリット２８に自然に嵌まり込む。
【００８５】
更に、図２１に示すように、取付け部材１３を連続して軸受け片２０ｂ側に傾動操作すると、取付け部材１３における水平板部１３ａと鉛直板部１３ｂとの間のコーナー部及び鉛直板部１３ｂにより、特定位置の軸受け片２０ｂに形成されたフック片２９が弾性的に撓み変形され、図２２に示すように、長尺固定ガイド板８又は短尺固定ガイド板９の軸受け凹部２０内の所定位置に取付け部材１３が嵌まり込んだ時点で、フック片２９が弾性復帰しながら取付け部材１３の鉛直板部１３ｂに形成された係合孔３１に係合し、取付け部材１３が固定されると同時に、ネジリバネ１２が捩じり込み状態で取付けられる。
【００８６】
また、ガイド板ユニットに組み立てられた状態では、ネジリバネ１２で付勢されて商品収納通路Ｓ側に突出揺動された可動ガイド板１０の最大突出位置が、左右両外側に位置する縦桟１０Ａを除く他の各縦桟１０Ａの上部の端面１０ｄと取付け部材１３の水平板部１３ａの下面との当接によって規制されている。
【００８７】
そして、商品収納通路Ｓに投入された商品３により押し込まれた可動ガイド板１０は、商品払出作動に連れて落下し続ける商品３との当接が無くなると、ネジリバネ１２の弾性付勢力で商品収納通路Ｓ側に突出揺動復帰するが、このとき、左右中間に位置する複数の縦桟１０Ａの上部端面１０ｄが取付け部材１３の水平板部１３ａの下面に分散して当接するため、この分散当接によって個々の打撃が和らげられ、打撃音や衝撃音小さくすることができる。
【００８８】
次に、取付け部材１３の差込み連結手段Ｄについて説明する。
図１２〜図１７、図２３に示すように、取付け部材１３の両端部には、左右の側板６に形成された横向きＵ字状又はＶ字状の取付け孔１４に対して左右方向（通路幅方向）から所定位置への差し込みを許容する切欠部３５と、所定位置に差し込まれたとき、取付け孔１４の周縁の一部、つまり、取付け孔１４の下側コーナー側の張出し外側縁部６ｃに係合して左右方向での相対移動を阻止する係合孔３６とを形成するとともに、横向きＵ字状又は横向きＶ字状の取付け孔１４で囲まれた弾性変形可能な抜止め用舌片６Ａの先端縁６ａが、所定位置に差し込まれた取付け部材１３の鉛直板部１３ｂに当接又は近接して、取付け部材１３の係合孔３６と張出し外側縁部６ｃとの係合状態を維持する抜止め規制部に構成されている。
【００８９】
また、固定ガイド板８，９の各縦桟８Ａ，９Ａのうち、左右両外側に位置する縦桟８Ａ，９Ａの外側面の上部には、側板６の内側面における取付け孔１４の外側縁又はその近くに当接して取付け部材１３の差込量を規制する側面視略横方形の差込規制突起３７が一体的に突出形成されているとともに、左右両外側に位置する縦桟８Ａ，９Ａの外側面の下部側には、左右の側板６に形成された横向きＵ字状又は横向きＶ字状の第２取付け孔３８のうち、第２取付け孔３８で囲まれた弾性変形可能な第２抜止め用舌片６Ｂの先端縁６ｂとそれに相対向する底外側縁部６ｄとの間に対して左右方向（通路幅方向）から差し込み可能な側面視略縦方形の係合突起３９と、側板６の内側面における第２取付け孔３８の外側縁又はその近くに当接して係合突起３９の差込量を規制する側面視略横方形の差込規制突起３７が一体形成されている。
【００９０】
更に、固定ガイド板８，９の下側横桟８Ｂ，９Ｂの裏面側には、下方に隣接する他のガイド板ユニットの取付け部材１３の鉛直板部１３ｂに当て付けられるＬ字状の段部４０が切欠き形成されているとともに、取付け部材１３の両端部が取付け孔１４に差込み固定され、かつ、固定ガイド板８，９の下側横桟８Ｂ，９Ｂに形成された段部４０が下方に隣接する他のガイド板ユニットの取付け部材１３の鉛直板部１３ｂに当て付けられた状態において、図２３（イ）の部分拡大図に示すように、第２抜止め用舌片６Ｂの先端縁６ｂと係合突起３９の係合面３９ａとが、縦桟８Ａ，９Ａの弾性撓み変形量の範囲内で寸法ａだけ重合するように構成されている。
【００９１】
そのため、固定ガイド板８，９の係合突起３９を側板６の第２取付け孔３８に差込み係合させる場合には、図２３（イ）の仮想線で示した矢印のように、縦桟８Ａ，９Ａの上下中央部を撓み変形させ、その状態で図２３（ロ）の部分拡大図に示すように係合突起３９を第２取付け孔３８に差込み係合させることになり、その結果、縦桟８Ａ，９Ａの弾性復元力で、固定ガイド板８，９の下側横桟８Ｂ，９Ｂに形成された段部４０が下方に隣接する他のガイド板ユニットの取付け部材１３の鉛直板部１３ｂに当て付け付勢されるため、取付けガタに起因するガタ付き音などの騒音発生を抑制することができる。
【００９２】
〔その他の実施形態〕
（１）上述の実施形態では、姿勢矯正板７、長尺固定ガイド板８、短尺固定ガイド板９、可動ガイド板１０の各々を樹脂材料の一例であるＰＯＭ（ポリアセタール）で一体成形したが、他の合成樹脂材料やゴム系の樹脂材料で成形してもよい。
【００９３】
（２）前記取付け部材１３としては、上述実施形態で説明した横断面略Ｌの字状形状に限定されるものではなく、端面同士で接触するなど振動の伝播を抑制することができ、かつ、共鳴振動を起こし易い平面部が少ない形状であればよい。
【００９４】
（３）上述の実施形態では、長尺固定ガイド板８、短尺固定ガイド板９、長尺固定ガイド板８の前面左側に可動ガイド板１０を揺動自在に装着してあるガイド板ユニット、長尺固定ガイド板８の前面右側に可動ガイド板１０を揺動自在に装着してあるガイド板ユニット、短尺固定ガイド板９の前面に可動ガイド板１０を揺動自在に装着してあるガイド板ユニットを製作して、それらの組み合わせから複数種類の商品収納通路Ｓを選択的に構成することができるようにしたが、長尺固定ガイド板８又は短尺固定ガイド板９のみをもって商品収納通路Ｓを構成するものであってもよく、また、長尺固定ガイド板８又は短尺固定ガイド板９に可動ガイド板１０を装着してなるガイド板ユニットのみをもって商品収納通路Ｓを構成するものであってもよい。
【００９５】
（４）係合保持手段Ｃとしては、固定ガイド板８，９の上部に対して取付け部材１３を脱着自在に係合保持することのできるものであれば、如何なる係合構造のものを採用してもよい。
【００９６】
（５）取付け部材１３の差込み連結手段Ｄとしては、左右の側板６に設けられた取付け孔１４に対して差し込み自在で、かつ、所定位置に差し込まれたとき取付け孔１４の周縁に係合して左右方向での相対移動を阻止することのできるものであれば、如何なる構造のものを採用してもよい。
【図面の簡単な説明】
【００９７】
【図１】本願発明の第１実施形態を示す自動販売機全体の断面側面図
【図２】商品投入口に商品を投入したときの要部の断面側面図
【図３】姿勢矯正板の上側端部に商品が当接したときの要部の断面側面図
【図４】姿勢矯正板の凹状搬送ガイド面に商品が移入したときの要部の断面側面図
【図５】姿勢矯正板の下側端部に商品が当接したときの要部の断面側面図
【図６】姿勢矯正板の斜視図
【図７】商品収納通路に投入された商品が可動ガイド板に当接したときの要部の断面側面図
【図８】可動ガイド板が固定ガイド板側に押し込まれたときの要部の断面側面図
【図９】商品が可動ガイド板の先端を通過するときの要部の断面側面図
【図１０】商品が可動ガイド板の先端を通過した直後の要部の断面側面図
【図１１】商品収納通路内に商品が補充されたときの要部の断面側面図
【図１２】長尺固定ガイド板、可動ガイド板、ネジリバネ、取付け部材の分解斜視図
【図１３】短尺固定ガイド板と取付け部材の分解斜視図
【図１４】長尺固定ガイド板及び短尺固定ガイド板の正面図とそれらの各部位における断面図
【図１５】長尺固定ガイド板の右側に可動ガイド板を装着したときの正面図
【図１６】長尺固定ガイド板の左側に可動ガイド板を装着したときの正面図
【図１７】短尺固定ガイド板に可動ガイド板を装着したときの正面図
【図１８】固定ガイド板の軸受け凹部に可動ガイド板の揺動支軸を装着する前の要部の断面側面図
【図１９】固定ガイド板の軸受け凹部に取付け部材を差し入れる前の要部の断面側面図
【図２０】取付け部材をそれの水平板部の先端がスリットに係入する押し込み操作したときの要部の断面側面図
【図２１】取付け部材を更に押し込み操作したときの要部の断面側面図
【図２２】取付け部材が係合固定されたときの要部の断面側面図
【図２３】差込み連結手段を示す要部の拡大側面図
【符号の説明】
【００９８】
Ｃ        係合保持手段
Ｓ        商品収納通路
Ｘ        横軸芯
３        商品
６        側板
６ｃ      張出し外側縁部
８        ガイド板（長尺固定ガイド板）
８Ａ      縦桟
８Ｂ      横桟
９        ガイド板（短尺固定ガイド板）
９Ａ      縦桟
９Ｂ      横桟
１０      ガイド板（可動ガイド板）
１０Ａ    縦桟
１０Ｂ    横桟
１２      ネジリバネ
１２ａ    コイル部
２０      軸受け凹部
２１      揺動支軸
２１Ａ    バネ装着用軸部
２３      回転規制片
２４      コイル支持片
【図１】
2005085137.tif 000003
【図２】
2005085137.tif 000004
【図３】
2005085137.tif 000005
【図４】
2005085137.tif 000006
【図５】
2005085137.tif 000007
【図６】
2005085137.tif 000008
【図７】
2005085137.tif 000009
【図８】
2005085137.tif 000010
【図９】
2005085137.tif 000011
【図１０】
2005085137.tif 000012
【図１１】
2005085137.tif 000013
【図１２】
2005085137.tif 000014
【図１３】
2005085137.tif 000015
【図１４】
2005085137.tif 000016
【図１５】
2005085137.tif 000017
【図１６】
2005085137.tif 000018
【図１７】
2005085137.tif 000019
【図１８】
2005085137.tif 000020
【図１９】
2005085137.tif 000021
【図２０】
2005085137.tif 000022
【図２１】
2005085137.tif 000023
【図２２】
2005085137.tif 000024
【図２３】
2005085137.tif 000025